(57)【特許請求の範囲】
【請求項１】
前面壁構体（５）を支持壁構体（６）に固定するための注入アンカー（１１）用のアンカー管であって、固定素子（８）を収容する貫通孔（１３）を備えたアンカー管（１２）において、
このアンカー管（１２）の少なくとも第１端部（１４）に、前記注入アンカー（１１）の第１篩目状有孔スリーブ（２２）を前記アンカー管（１２）に固定するための少なくとも１個の第１連結手段（３２）が設けられ、
前記アンカー管（１２）は、その全長にわたって無孔壁で形成されており、
前記アンカー管（１２）の全長は、前記注入アンカー（１１）の据え付け状態において前記第１篩目状有孔スリーブ（２２）が前記支持壁構体（６）に形成されたドリル孔（９）内に配置されたときに、前記アンカー管（１２）が、少なくとも、前記前面壁構体（５）と前記支持壁構体（６）との間の空隙層（７）を横切るように、設定されていることを特徴とするアンカー管。
【請求項２】
請求項１に記載のアンカー管において、前記アンカー管（１２）の、前記第１端部（１４）とは反対側の第２端部（１５）に、前記注入アンカー（１１）の第２篩目状有孔スリーブ（４２）を前記アンカー管（１２）に固定するための第２連結手段（５３）が設けられ、
前記アンカー管（１２）の全長は、前記注入アンカー（１１）の据え付け状態において前記第１篩目状有孔スリーブ（２２）及び前記第２篩目状有孔スリーブ（４２）がそれぞれ前記支持壁構体（６）及び前記前面壁構体（５）に形成されたドリル孔内に配置されたときに、前記アンカー管（１２）が少なくとも前記空隙層（７）を横切るように、設定されている、アンカー管。
【請求項３】
請求項１または２に記載のアンカー管において、前記第１連結手段（３２）を係止突起としたアンカー管。
【請求項４】
請求項１または２に記載のアンカー管において、前記第２連結手段（５３）を、前記注入アンカー（１１）の前記第２篩目状有孔スリーブ（４２）に設けられた係止突起と結合可能な係止空所としたアンカー管。
【請求項５】
請求項１〜４のうちいずれか一項に記載のアンカー管において、前記アンカー管（１２）の前記端部（１４，１５）に、それぞれ複数の前記連結手段（３２；５３）を設けたアンカー管。
【請求項６】
請求項５に記載のアンカー管において、前記複数の連結手段（３２；５３）は、前記アンカー管（１２）の前記端部（１４，１５）の周面に回転対称的に等間隔に配列したアンカー管。
【請求項７】
請求項５または６に記載のアンカー管において、前記アンカー管（１２）の前記端部（１４，１５）に、それぞれ少なくとも３個の連結手段を備えたアンカー管。
【発明の詳細な説明】
【技術分野】
【０００１】
本発明は、前面壁構体を支持壁構体に固定ための注入アンカー用のアンカー管であって、固定素子を収容する貫通孔を備えたアンカー管に関する。
【背景技術】
【０００２】
注入アンカーは、２層の壁構体を構築した後に、通常、前面壁構体（外殻または外装構体とも称される）の継目を経て前面壁構体内に据え付け、前面壁構体に作用する引張力および押圧力を支持壁構体（支持殻とも呼ぶ）に伝達する。このタイプの注入アンカーを大量に使用すると、２層の壁構体を構成した際に埋め込まれた連結素子が腐食することによって、双方の壁体間の連結力が十分でなくなるため、２層の壁体を再び連結し直す必要がある。
【０００３】
特許文献１（独国特許出願公開第３００４２７６号）は、固定素子を収容する貫通孔を備えた、注入アンカー用のアンカー管を記載している。このアンカー管は、その端部領域において、それぞれ半径方向の開口を備える。注入アンカーを据え付ける際は、まず、前面壁構体、前面壁構体と 支持壁構体との間における空隙層を経て、支持壁構体にドリル孔を形成する。続いて、このドリル孔にアンカー管を挿入する。その後、アンカー管の貫通孔を通じて注入用モルタルを注入アンカーに注入する。固定素子を挿入する際に、この注入された注入用モルタルは、アンカー管の端部において外方に押し出される。これにより、アンカー管の周面を閉鎖する部分の長さを確保し、空隙層を橋渡しする。
【０００４】
この既知の従来技術における欠点は、実施にあたり、構体層および空隙層の互いに異なる厚さを有した、異なる２層の壁構体が存在するため、このタイプの注入アンカーを生かすためには、異なる構成の多種類のアンカー管を用意しなければならないことにある。
【０００５】
特許文献２（独国特許出願公開第１０２２２７９９号）は、ネット状半径方向壁部分と、端部に連結具と備えた篩目状有孔スリーブを記載しており、複数の篩目状有孔スリーブは、だぼに装着可能である。このようなだぼをドリル孔内に挿入した後、このだぼに注入用モルタルを充填し、続いて固定素子が挿入する。このとき、注入された注入用モルタルのうち若干量は、ネット状半径方向壁から外方に溢れ出る。
【特許文献１】独国特許出願公開第３００４２７６号
【特許文献２】独国特許出願公開第１０２２２７９９号
【発明の開示】
【発明が解決しようとする課題】
【０００６】
したがって、本発明の課題は、前面壁構体を支持壁構体に固定するための注入アンカー用のアンカー管であって、様々なタイプおよび形態の２層の壁構体に適合する、注入アンカー用のアンカー管を得ることにある。
【課題を解決するための手段】
【０００７】
本発明の課題は、独立請求項に記載した特徴によって解決される。好適な実施形態は、従属項によって達成される。
【０００８】
本発明によれば、アンカー管の少なくとも第１端部に、注入アンカーの他の素子をアンカー管に固定するための少なくとも１個の第１連結手段を設ける。
【発明の効果】
【０００９】
アンカー管の長さは、空隙層の厚さ、もしくは前面壁構体と支持壁構体との間における距離、または２層もしくは多層壁構体の厚さに基づいて決定する。また、アンカー管と他の素子とは、連結手段および対向連結手段によって、一体に、注入アンカーに対して案内する。アンカー管に結合可能な他の素子は、例えば、支持壁構体内のドリル孔深さと同程度の長さに構成した篩目状有孔スリーブとする。また、本発明アンカー管は、例えば特許文献１に記載されたような篩目状有孔スリーブに連結可能である。
【００１０】
工事現場においては、様々な長さおよび種類のアンカー管、および／または様々な長さおよび種類の篩目状有孔スリーブがあり、使用者はこれらを必要に応じて、直接、前面壁構体を支持壁構体に固定するための注入アンカーと組み合わせることができる。注入アンカーは、本発明アンカー管とのモジュラー構成である。このように、異なる構成のアンカー管および篩目状有孔スリーブをいくつか組み合わせることで、多くの様々な構造の２層の壁体を事後的に確実に固定することができる。このとき、注入アンカーは、現場の使用条件、例えば支持壁構体および前面壁構体における岩状物の種類、厚さ、または質、または空気層の厚さに、簡単かつ迅速に適合させることができる。
【発明を実施するための最良の形態】
【００１１】
好適には、アンカー管の第１端部とは反対側の第２端部に、注入アンカーの他の素子をアンカー管に固定するための第２連結手段を設ける。この構成により、例えば複数の本発明アンカー管をつなぎ合わせて、前面壁構体と支持壁構体との間における距離、または極めて広い範囲にわたる空隙層を橋渡しすることができる。さらには、第２端部に篩目状有孔スリーブを連結することもでき、この篩目状有孔スリーブは注入アンカーを据え付けるとき、前面壁構体に納まる。こうすることで、この篩目状有孔スリーブによって、前面壁構体の領域においても所望のアンカー固定が可能であるため、注入アンカーを前面壁構体により良好に固定することができる。とくに、前面壁構体における継目のモルタル養生がよくない場合、このタイプの注入アンカーは特に好適である。アンカー管の双方の端部にそれぞれ篩目状有孔スリーブを設けると、さらに好適である。
【００１２】
さらに、本発明アンカー管に連結可能な篩目状有孔スリーブの遊端には、さらに他の連結手段もしくは対向連結手段を設けても良い。この構成により、アンカー管に連結した篩目状有孔スリーブに、さらに他の篩目状有孔スリーブを連結することが可能となる。
【００１３】
好適には、連結手段を係止突起とする。この係止突起は、係止空所として構成した対向連結手段と共に、連結具に対して結合可能である。好適には、これら係止突起は、それぞれ外側輪郭から傾斜隆起する部分を有し、注入アンカーの素子を簡単に結合することができる。好適には、係止突起は、それぞれ傾斜隆起部分に続いて部材の外側輪郭に対し直交する方向に落ち込むようにする。この構成により、各素子の装着状態において、それぞれ好適な係止空所の端縁領域に結合するアンダーカットが構成される。
【００１４】
他の実施形態において、連結手段には、係止突起と結合可能な係止空所を設ける。この構成によれば、注入アンカーの素子を、簡単かつ確実に結合させることができ、また、この係止空所は簡単に形成できる。
【００１５】
好適には、アンカー管の一方の端部に係止突起を、他方の端部に係止空所を設ける。この構成によれば、複数の、本発明アンカー管を、簡単に相互連結できる。
【００１６】
好適には、アンカー管の端部に、それぞれ、複数の対向連結手段と結合可能な複数の連結手段を設ける。素子間に構成した連結手段により、注入アンカーの素子間における確実な相互連結を保証することができる。
【００１７】
好適には、複数の連結手段は、アンカー管の端部の周面に回転対称的に等間隔に配列する。また、好適には、複数の対向連結手段を、アンカー管と連結可能な素子の周面に、同じく回転対称的に等間隔に配列する。この構成により、注入アンカーの素子間でさらに確実な連結を保証する。
【００１８】
好適には、アンカー管の端部に、それぞれ、少なくとも３個の連結手段を設ける。また、好適には、注入アンカーの、アンカー管と結合可能な端部にはそれぞれ連結手段と同数の対向連結手段を設ける。この構成により、例えば、注入アンカーの素子を互いに長さ調整を可能にする。好適には、注入アンカーの、アンカー管と結合可能な素子には、同一個数の対向連結手段または連結手段を設ける。
【００１９】
好適には、アンカー管は合成材料で形成する。さらに好適には、アンカー管と連結可能な篩目状有孔スリーブも、少なくとも部分的に、合成材料で形成する。特に好適には、注入アンカーの全ての素子を、合成材料を射出成形により製造する。こうすることで、連結装置を簡単に構成することができる。
以下に、図面につき本発明の好適な実施例を詳細に説明する。
図面において、同一部分には同一の符号を付して示す。
【実施例】
【００２０】
図１に全体として、図２および図３に各部分を示す注入アンカー１１は、貫通孔１３を有して、固定素子８を収容するためのアンカー管１２と、このアンカー管１２に連結した篩目状有孔スリーブ２２とを有する。この篩目状有孔スリーブ管２２は、第１連結具３１によってアンカー管１２に連結する。
【００２１】
前面壁構体５を支持壁構体６に固定するため、まず、前面壁構体５の継目および空隙層７を経て支持壁体６にドリル孔９を形成する。このドリル孔９内をきれいにしたあと、篩目状有孔スリーブ２２を有するモジュラー一体構成の注入アンカー１１を篩目状有孔スリーブ２２がドリル孔９内に納まるまで、挿入する。このとき、注入アンカー１１を注入モルタルで満たし、続いて、固定素子８、例えばねじ付きロッドをアンカー管１２の貫通孔１３を経て注入アンカー１１内に挿入する。これにより、注入モルタルは、特に篩目状有孔スリーブ２２の領域に吐出され、注入アンカー１１は、支持壁構体６に確実にアンカー固定される。有利なことに、これにひき続いて、注入アンカー１１または固定素子８と前面壁構体５との間の空間にもモルタルが充満することによって、前面壁構体５にけるアンカー固定を生ずる。
【００２２】
図２に示すアンカー管１２には、貫通孔１３に加え、その第１端部１４の周面に第１連結手段３２として回転対称的に等間隔に配列した４個の係止突起と、第１端部１４とは反対側の第２端部１５の周面に第２連結手段５３として回転対称的に等間隔に配列した４個の係止空所を設ける。さらに、アンカー管１２の外側面に周方向に延在するリング１６を結露流防止リングとして設ける。この結露流防止リングは注入アンカー１１が据え付け状態で、前面壁構体５から支持壁構体６へとアンカー管１２に沿って結露が流れ出るのを阻止する。
【００２３】
図３に示す篩目状有孔スリーブ２２には、その第１端部２３に、アンカー管１２の第１連結手段３２と結合可能な第１対向連結手段３３を設ける。この第１対向連結手段３３は、第２連結手段５３と同様に、アンカー管１２の周面に回転対称的に等間隔に配列した４個の係止空所として構成する。
【００２４】
図４に示す篩目状有孔スリーブ４２は、図３に示す篩目状有孔スリーブ２２よりも、その長手方向長さが短い。さらに篩目状有孔スリーブ４２の第１端部４３とは反対側の第２端部４４の周面には、回転対称的に等間隔に配列した４個の係止突起を第２対向連結手段５２として設ける。
【００２５】
図５には、モジュラー一体構成の注入アンカー４１を示す。この注入アンカー４１のアンカー管１２の第１端部１４には篩目状有孔スリーブ２２を、第２端部１５には篩目状有孔スリーブ４２を設ける。篩目状有孔スリーブ２２は連結具３１によって、篩目状有孔スリーブ４２は連結具５１によって、アンカー管１２に固定する。この連結具５１は、アンカー管１２の第２端部１５の第２連結手段５３および、この第２連結手段５３と結合可能な、篩目状有孔スリーブ４２に設けた対向連結手段５２と、により構成する。一体構成の注入アンカー４１は、据え付け状態において、篩目状有孔スリーブ４２は前面壁構体５内に、篩目状有孔スリーブ２２は上述の注入アンカー１１の場合と同様に支持壁構体６内に存在する。
【図面の簡単な説明】
【００２６】
【図１】注入アンカーの第１実施例の据え付け状態を示す断面図である。
【図２】本発明による注入アンカー用アンカー管の側面図である。
【図３】注入アンカーの第１篩目状有孔スリーブの側面図である。
【図４】注入アンカーの第２篩目状有孔スリーブの側面図である。
【図５】注入アンカーの第２実施例例の側面図である。
【符号の説明】
【００２７】
５  前面壁構体
６  支持壁構体
７  空隙層
８  固定素子
９  ドリル孔
１１  注入アンカー
１２  アンカー管
１３  貫通孔
１４  アンカー管の第１端部
１５  アンカー管の第２端部
１６  リング
２２  篩目状有孔スリーブ
２３  篩目状有孔スリーブ２２の第１端部
３１  第１連結具
３２  第１連結手段（係止突起）
３３  第１対向連結手段（係止空所）
４１  注入アンカー
４２  篩目状有孔スリーブ
４３  篩目状有孔スリーブ４２の第１端部
４４  篩目状有孔スリーブ４２の第２端部
５１  第２連結具
５２  第２対向連結手段（係止突起）
５３  第２連結手段（係止空所）
【図１】
0005517443.tif 000002
【図２】
0005517443.tif 000003
【図３】
0005517443.tif 000004
【図４】
0005517443.tif 000005
【図５】
0005517443.tif 000006